(57)【要約】      （修正有）【課題】複数セットの太陽追跡装置を同期に動作することができ、その高さが減少され、支持構造が強固になる太陽追跡装置を提供する。【解決手段】その底面の四つのコナーに近接する箇所には、ラグ台がそれぞれ設けられるソーラーエネルギー収集装置と、その上端が枢着台を介してソーラーエネルギー収集装置の底面に枢着される支持チューブ装置と、支持チューブ装置の周辺に四つのラグ台が設けられ、ソーラーエネルギー収集装置を予定の仰角角度に固定する固定装置と、その内部に支持チューブ装置が組み付けられ、動力源と、動力源に伝動されて回転する伝動装置と、が設けらる。伝動装置は、ワームウォームギヤユニットと、連動ロッドと、を含み、ワームウォームギヤユニットのウォームギヤが支持チューブ装置に固定され、ワームウォームギヤユニットのワームは、連動ロッドに固定され、外部に突出する台座と、を備える。【選択図】図１
0003156577.tif 000002
【実用新案登録請求の範囲】
【請求項１】
その底面の四つのコナーに近接する箇所には、ラグ台がそれぞれ設けられるソーラーエネルギー収集装置と、
その上端が枢着台を介して前記ソーラーエネルギー収集装置の底面に枢着される支持チューブ装置と、
前記支持チューブ装置の周辺に四つのラグ台が設けられ、前記四つのラグ台と、前記ソーラーエネルギー収集装置の底面の四つのコナーに近接する箇所にそれぞれ設けられたラグ台とは、それぞれ連接ロッドで互いに枢着し、前記ソーラーエネルギー収集装置を予定の仰角角度に固定する固定装置と、
その内部に前記支持チューブ装置が組み付けられ、動力源と、前記動力源に伝動されて回転する伝動装置と、が設けられ、前記伝動装置は、ワームウォームギヤユニットと、連動ロッドと、を含み、前記ワームウォームギヤユニットのウォームギヤが前記支持チューブ装置に固定され、前記ワームウォームギヤユニットのワームは、前記連動ロッドに固定され、前記ワームウォームギヤユニットにより前記支持チューブ装置および前記ソーラーエネルギー収集装置が自転し太陽を追跡し、前記連動ロッドは、別セットの太陽追跡装置の連動ロッドと連接し同期に動作する台座と、を備えることを特徴とする、太陽追跡装置。
【請求項２】
前記太陽追跡装置は複数セットあり、第１セットの太陽追跡装置には、動力源と、連動ロッドと、が設けられ、前記連動ロッドは、垂直方向または横方向に別セットの太陽追跡装置を連動することができ、すなわち、複数セットの前記太陽追跡装置は、アレーのように配設されることを特徴とする、請求項１に記載の太陽追跡装置。
【請求項３】
前記支持チューブ装置の内穴の下端に近接する周面に溝が設けられ、前記溝に耐磨耗パッドが収容され、前記耐磨耗パッドの内径は前記内穴の内径よりもやや小さく、これにより、前記耐磨耗パッドが前記支持チューブ装置の内部にある支持ロッドと接触し、前記支持チューブ装置の下端の周面には、複数の軸方向剖開溝が貫設され、前記支持チューブ装置の前記複数の軸方向剖開溝における周面に括りリングが設けられ、前記括りリングにより前記支持チューブ装置と前記複数の軸方向剖開溝とが括られ、前記支持チューブ装置が揺れずに安定に動作することができることを特徴とする、請求項１に記載の太陽追跡装置。
【考案の詳細な説明】
【技術分野】
【０００１】
本考案は、太陽追跡装置に係り、特に、複数セットの太陽追跡装置を同期に動作することができる太陽追跡装置（その２）に関するものである。
【背景技術】
【０００２】
目下、石油および石炭などの資源がどんどん減少し、石油の価格が高騰し、環境保全の意識が強くなり、且つ政府が二酸化炭素削減との政策を出しており、ソーラーエネルギーが従来のエネルギーに取って代わる傾向が強くなっている。
【考案の概要】
【考案が解決しようとする課題】
【０００３】
しかしながら、従来の太陽追跡装置は、その動作が別々に制御され、同期に動作することができず、且つその高さがより高いので、テラスに据え付けることができず、そして従来の太陽追跡装置は、支持構造が強固ではないので、強風（例えば台風など）に吹かれると損壊し易い問題があった。
【課題を解決するための手段】
【０００４】
本考案の太陽追跡装置によると、その底面の四つのコナーに近接する箇所では、ラグ台がそれぞれ設けられるソーラーエネルギー収集装置と、その上端が枢着台を介して前記ソーラーエネルギー収集装置の底面に枢着される支持チューブ装置と、前記支持チューブ装置の周辺に四つのラグ台が設けられ、前記四つのラグ台と、前記ソーラーエネルギー収集装置の底面の四つのコナーに近接する箇所にそれぞれ設けられたラグ台とは、それぞれ連接ロッドで互いに枢着し、前記ソーラーエネルギー収集装置を予定の仰角角度に固定する固定装置と、その内部に前記支持チューブ装置が組み付けられ、動力源と、前記動力源に伝動されて回転する伝動装置と、が設けられ、前記伝動装置は、ワームウォームギヤユニットと、連動ロッドと、を含み、前記ワームウォームギヤユニットのウォームギヤが前記支持チューブ装置に固定され、前記ワームウォームギヤユニットのワームは、前記連動ロッドに固定され、前記ワームウォームギヤユニットにより前記支持チューブ装置および前記ソーラーエネルギー収集装置が自転し太陽を追跡し、前記連動ロッドは、別セットの太陽追跡装置の連動ロッドと連接し同期に動作する台座と、を備えることを特徴とする。
【０００５】
本考案の太陽追跡装置によると、前記太陽追跡装置は複数セットあり、第１セットの太陽追跡装置には、動力源と、連動ロッドと、が設けられ、前記連動ロッドは、垂直方向または横方向に別セットの太陽追跡装置を連動することができ、すなわち、複数セットの前記太陽追跡装置は、アレーのように配設されてもよいことを特徴とする。
【０００６】
本考案の太陽追跡装置によると、前記支持チューブ装置の内穴の下端に近接する周面に溝が設けられ、前記溝に耐磨耗パッドが収容され、前記耐磨耗パッドの内径は前記内穴の内径よりもやや小さく、これにより、前記耐磨耗パッドが前記支持チューブ装置の内部にある支持ロッドと接触し、前記支持チューブ装置の下端の周面には、複数の軸方向剖開溝が貫設され、前記支持チューブ装置の前記複数の軸方向剖開溝における周面に括りリングが設けられ、前記括りリングにより前記支持チューブ装置と前記複数の軸方向剖開溝とが括られ、前記支持チューブ装置が揺れずに安定に動作することができることを特徴とする。
【考案の効果】
【０００７】
本考案の太陽追跡装置によれば、次のような効果がある。
（１）複数セットの太陽追跡装置を同期に動作することができ、且つその高さが減少されるので、テラスに据え付けることができるようになる。
【０００８】
（２）支持構造が強固になり、強風（例えば台風など）に吹かれても損壊し難い。
【図面の簡単な説明】
【０００９】
【図１】本考案の一実施形態の太陽追跡システム（その２）の斜視図である。
【図２】本考案の一実施形態の太陽追跡システム（その２）の背面図である。
【図３】本考案の一実施形態の太陽追跡システム（その２）の側面図である。
【図４】本考案の一実施形態の太陽追跡システム（その２）の一部の断面図である。
【図５】本考案に係る支持チューブ装置の所在位置での断面図である。
【図６】本考案の複数の太陽追跡装置が連結された状態の模式図である。
【考案を実施するための形態】
【００１０】
以下、本考案の実施の形態を図面に基づいて説明する。
【００１１】
本考案の一実施形態の太陽追跡装置（その２）は、ソーラーエネルギー収集装置１０と、支持チューブ装置２０と、固定装置３０と、台座４０と、を含む。
【００１２】
前記ソーラーエネルギー収集装置１０の、その底面の四つのコナーに近接する箇所には、ラグ台１１がそれぞれ設けられる。
【００１３】
前記支持チューブ装置２０は、その上端が枢着台２１を介して前記ソーラーエネルギー収集装置１０の底面に枢着される。
【００１４】
前記固定装置３０は、前記支持チューブ装置２０の周辺に四つのラグ台３１が設けられ、前記四つのラグ台３１と、前記ソーラーエネルギー収集装置１０の底面の四つのコナーに近接する箇所にそれぞれ設けられたラグ台１１とは、それぞれ連接ロッド３２で互いに枢着し、前記ソーラーエネルギー収集装置１０を予定の仰角角度に固定する。法規によれば、前記ソーラーエネルギー収集装置１０の仰角角度は２３．５度である。
【００１５】
前記台座４０は、その内部に前記支持チューブ装置２０が組み付けられ、動力源５０と、前記動力源５０に伝動されて回転する伝動装置６０と、が設けられ、前記伝動装置６０は、ワームウォームギヤユニット６１と、連動ロッド６２と、を含み、前記ワームウォームギヤユニット６１のウォームギヤ６１１が前記支持チューブ装置２０に固定され、前記ワームウォームギヤユニット６１のワーム６１２は、前記連動ロッド６２に固定され、前記台座４０から外部に突出する。
【００１６】
前記動力源５０は、直流モータでもいいし、交流モータでもいいし、デジタル制御モータでもよい。
【００１７】
本考案の太陽追跡装置は、更に、ソーラーエネルギー蓄蔵変換装置を有し、前記ソーラーエネルギー蓄蔵変換装置により、ソーラーエネルギーが電力に変換されて前記動力源５０に供給される。
【００１８】
前記連動ロッド６２は、垂直方向に連動してもいいし、横方向に連動してもよい。
【００１９】
本考案の太陽追跡装置全体の高さは１．５メートルよりも低い。
【００２０】
本考案の太陽追跡装置は、更に、前記ワームウォームギヤユニット６１の回転を制御する光感応制御装置を含み、前記光感応制御装置により前記ソーラーエネルギー収集装置１０が何時も太陽に向く。
【００２１】
上記の構成によれば、前記ソーラーエネルギー収集装置１０の仰角角度が一定であり、前記伝動装置６０が前記動力源５０に駆動されて前記支持チューブ装置２０を駆動し、前記支持チューブ装置２０に固定された前記ソーラーエネルギー収集装置１０が３６０度に自在に角度を調整することができ、そうすると、前記ソーラーエネルギー収集装置１０が何時も太陽に向く。
【００２２】
図６を参照する。本考案の太陽追跡装置は複数セットあり、第１セットの太陽追跡装置１ａには、動力源５０と、連動ロッド６２と、が設けられ、前記連動ロッド６２は、垂直方向または横方向に別セットの太陽追跡装置１ｂを連動することができ、すなわち、複数セットの前記太陽追跡装置は、アレーのように配設されてもいいし、直線的に配設されてもいいし、幾何形状的に配設されてもよい。
【００２３】
図３及び図５を参照する。前記支持チューブ装置２０の内穴２２の下端に近接する周面に溝２２１が設けられ、前記溝２２１に耐磨耗パッド２３が収容され、前記耐磨耗パッド２３の内径は前記内穴２２の内径よりもやや小さく、これにより、前記耐磨耗パッド２３が前記支持チューブ装置２０の内部にある支持ロッドと接触し、前記支持チューブ装置２０の下端の周面には、複数の軸方向剖開溝２４が貫設され、前記支持チューブ装置２０の前記複数の軸方向剖開溝２４における周面に括りリング２５が設けられ、前記括りリング２５により前記支持チューブ装置２０と前記複数の軸方向剖開溝２４とが括られ、そうすると、前記支持チューブ装置２０が揺れずに安定に動作することができる。
【産業上の利用可能性】
【００２４】
本考案は、太陽追跡システムに適用することができる。
【符号の説明】
【００２５】
１ａ      太陽追跡装置
１ｂ      太陽追跡装置
１０      ソーラーエネルギー収集装置
１１      ラグ台
２０      支持チューブ装置
２１      枢着台
２２      内穴
２３      耐磨耗パッド
２４      軸方向剖開溝
２５      括りリング
３０      固定装置
３１      ラグ台
３２      連接ロッド
４０      台座
５０      動力源
６０      伝動装置
６１      ワームウォームギヤユニット
６２      連動ロッド
２２１    溝
６１１    ウォームギヤ
６１２    ワーム
【図１】
0003156577.tif 000003
【図２】
0003156577.tif 000004
【図３】
0003156577.tif 000005
【図４】
0003156577.tif 000006
【図５】
0003156577.tif 000007
【図６】
0003156577.tif 000008